(57)【要約】【課題】弦を押える側の指や腕の動きに難があって、弦を押えることに支障がある人でも、弦楽器を手軽に演奏することができる弦楽器用演奏補助具を提供する。【解決手段】本発明の弦楽器用演奏補助具は、弦楽器のネックＧ３側に位置するとともにネックＧ３に沿って移動可能なネック側部材２と、弦楽器の指板Ｇ５側に位置するとともにネック側部材２に取り付けられてネック側部材２とともに移動する指板側部材３と、指板側部材３に設けられ、指板Ｇ５の表側に張設された複数の弦Ｇ７に対してそれぞれ進退移動可能な複数の押弦部材４と、ネック側部材２の移動位置を検出可能であって、検出したネック側部材２の移動位置及び所定のタイミングに応じて押弦部材４を弦Ｇ７に対して進退移動させる制御部１１と、を備える。【選択図】図２
2020030394.tif 000002
【特許請求の範囲】
【請求項１】
弦楽器のネック側に位置するとともに該ネックに沿って移動可能なネック側部材と、
弦楽器の指板側に位置するとともに前記ネック側部材に取り付けられて該ネック側部材とともに移動する指板側部材と、
前記指板側部材に設けられ、前記指板の表側に張設された複数の弦に対してそれぞれ進退移動可能な複数の押弦部材と、
前記ネック側部材の移動位置を検出可能であって、検出した該ネック側部材の移動位置及び所定のタイミングに応じて前記押弦部材を前記弦に対して進退移動させる制御部と、を備える弦楽器用演奏補助具。
【請求項２】
前記ネック側部材は、前記ネックの幅方向に並ぶ複数のネック側セグメントで構成され、前記指板側部材は、前記指板の幅方向に並ぶ複数の指板側セグメントで構成されるものであって、
前記ネック側セグメント同士を互いに近づく向きに付勢する、及び／又は前記指板側セグメント同士を互いに近づく向きに付勢する弾性体を備える請求項１に記載の弦楽器用演奏補助具。
【請求項３】
弦楽器のネック側に位置するネック側部材と、
弦楽器の指板側に位置するとともに前記ネック側部材に取り付けられる指板側部材と、
前記指板側部材に設けられ、前記指板の表側に張設された複数の弦に対してそれぞれ進退移動可能且つ該弦の延在する向きに沿って移動可能な複数の押弦部材と、
所定のタイミングに応じて前記押弦部材を該弦に対して進退移動させるとともに前記弦の延在する向きに沿って該押弦部材を移動させる制御部と、を備える弦楽器用演奏補助具。
【請求項４】
前記押弦部材は、複数の弦の全てに跨がるとともにこれらの弦に対して進退移動する一括押弦部材と、それぞれの弦に対向するとともに各弦に対して進退移動する複数の単独押弦部材とを備える請求項３に記載の弦楽器用演奏補助具。
【発明の詳細な説明】
【技術分野】
【０００１】
本発明は、ギターなどの弦楽器を演奏する際に所定の弦を押弦することが可能な弦楽器用演奏補助具に関する。
【背景技術】
【０００２】
ギターやバイオリンなどのように、指板の表側に張設された複数の弦を有する弦楽器は、一方の手（例えば左手）でこれらの弦を所定の位置で押え、他方の手（例えば右手）で弦を弾いたり、手に持った弓で弦を擦ったりすることによって演奏が行われる。
【０００３】
このように弦楽器は両方の手を使って演奏されるものであるため、弦を押える側の手の指や腕の動きに支障がある人には、弦を所定の位置及びタイミングで押えることが難しく、演奏を十分に楽しめない状況にある。
【０００４】
一方、弦楽器の弦を押えることが可能なものとして、例えば特許文献１には、指板に対して弦を押し当てる指部を備える左手部と、左手部をネックに沿って移動させて弦の押し当て位置を変化させる腕用アクチュエータとを備える弦楽器演奏ロボットが示されている。
【先行技術文献】
【特許文献】
【０００５】
【特許文献１】特開２００９−１０１４５３号公報
【発明の概要】
【発明が解決しようとする課題】
【０００６】
しかし特許文献１の弦楽器演奏ロボットは、構造が複雑であるうえ大がかりであるため、一般の人が簡単に使用できるものではない。またロボットの価格も高価であるため、この点でも導入は困難である。このため、弦を押えることが自由に行えなくても弦楽器の演奏を手軽に楽しむことができる器具が求められている。
【０００７】
本発明はこのような問題点を解決することを課題とするものであり、弦を押える側の指や腕の動きに難があって、弦を押えることに支障がある人でも、弦楽器を手軽に演奏することができる弦楽器用演奏補助具を提供することを目的とする。
【課題を解決するための手段】
【０００８】
本発明は、弦楽器のネック側に位置するとともに該ネックに沿って移動可能なネック側部材と、弦楽器の指板側に位置するとともに前記ネック側部材に取り付けられて該ネック側部材とともに移動する指板側部材と、前記指板側部材に設けられ、前記指板の表側に張設された複数の弦に対してそれぞれ進退移動可能な複数の押弦部材と、前記ネック側部材の移動位置を検出可能であって、検出した該ネック側部材の移動位置及び所定のタイミングに応じて前記押弦部材を前記弦に対して進退移動させる制御部と、を備える弦楽器用演奏補助具である。
【０００９】
ここで前記ネック側部材は、前記ネックの幅方向に並ぶ複数のネック側セグメントで構成され、前記指板側部材は、前記指板の幅方向に並ぶ複数の指板側セグメントで構成されるものであって、前記ネック側セグメント同士を互いに近づく向きに付勢する、及び／又は前記指板側セグメント同士を互いに近づく向きに付勢する弾性体を備えることが好ましい。
【００１０】
また本発明の弦楽器用演奏補助具は、弦楽器のネック側に位置するネック側部材と、弦楽器の指板側に位置するとともに前記ネック側部材に取り付けられる指板側部材と、前記指板側部材に設けられ、前記指板の表側に張設された複数の弦に対してそれぞれ進退移動可能且つ該弦の延在する向きに沿って移動可能な複数の押弦部材と、所定のタイミングに応じて前記押弦部材を該弦に対して進退移動させるとともに前記弦の延在する向きに沿って該押弦部材を移動させる制御部と、を備えるものでもある。
【００１１】
そして前記押弦部材は、複数の弦の全てに跨がるとともにこれらの弦に対して進退移動する一括押弦部材と、それぞれの弦に対向するとともに各弦に対して進退移動する複数の単独押弦部材とを備えることが好ましい。
【発明の効果】
【００１２】
本発明の弦楽器用演奏補助具は、弦楽器のネックに沿って移動可能なネック側部材と、ネック側部材に取り付けられてネック側部材とともに移動する指板側部材と、複数の弦に対してそれぞれ進退移動可能な複数の押弦部材と、ネック側部材の移動位置を検出可能であって、検出したネック側部材の移動位置及び所定のタイミングに応じて押弦部材を弦に対して進退移動させる制御部と、を備えている。従ってこのような弦楽器用演奏補助具を使用すれば、ネック側部材を移動させることによって押弦部材を所定の位置に移動させて弦を押えることができるため、弦を押える手の指の動きに支障がある場合でも、弦楽器の演奏を楽しむことができる。
【００１３】
ところで弦楽器のネックは、先端側（ヘッド側）から根元側（ボディ側）に向かって幅が広くなっている。このため、ネック側部材の幅をネックの根元側に合わせていると、ネック側部材をネックの先端側に移動させた際にはガタツキが生じることになる。これに対し、ネック側部材をネックの幅方向に並ぶ複数のネック側セグメントで構成し、指板側部材を指板の幅方向に並ぶ複数の指板側セグメントで構成し、更に、ネック側セグメント同士を互いに近づく向きに付勢する、及び／又は指板側セグメント同士を互いに近づく向きに付勢する弾性体を設ける場合は、ネックの幅に応じてネック側セグメントと指板側セグメントの間隔も変わるため、ネックに沿って移動させてもガタツキを抑えることができる。またネックの幅が広くなるのと同様に、弦同士の間隔もヘッド側からボディ側に向かって広くなっているが、ネック側部材をネックに沿って移動させた際、指板側セグメントに設けられた押弦部材も指板側セグメントとともに幅方向に移動する。このため、ネック側部材をネックに沿って何れの位置に移動させても、押弦部材によって弦を押えることができる。
【００１４】
また本発明の弦楽器用演奏補助具は、弦楽器のネック側に位置するネック側部材と、ネック側部材に取り付けられる指板側部材と、複数の弦に対してそれぞれ進退移動可能且つ各弦の延在する向きに沿って移動可能な複数の押弦部材と、所定のタイミングに応じて押弦部材を弦に対して進退移動させるとともに弦の延在する向きに沿って押弦部材を移動させる制御部と、を備えるように構成することもできる。この場合は、ネック側部材を移動させずとも押弦部材を所定の位置に移動させて弦を抑えることができるため、弦を抑える側の腕を自由に動かせない場合でも、弦楽器の演奏を楽しむことができる。
【００１５】
ここで押弦部材を、複数の弦の全てに跨がるとともにこれらの弦に対して進退移動する一括押弦部材と、それぞれの弦に対向するとともに各弦に対して進退移動する複数の単独押弦部材とを備えるものとする場合は、弦の押え方が多様になるため、演奏可能な曲の種類を増やすことができる。また一括押弦部材で弦を押えておくことによって、弦の延在する向きに沿って単独押弦部材を移動させる際の移動量が減って、単独押弦部材を所定の位置まで素早く移動させることができるため、速い曲でも演奏を行うことができる。
【図面の簡単な説明】
【００１６】
【図１】本発明に従う弦楽器用演奏補助具の第一実施形態につき、これを弦楽器（ギター）に装着して示した図である。
【図２】図１に示すＡ−Ａに沿う断面での模式図である。
【図３】押弦部材の進退移動について説明する図である。
【図４】図１に示す弦楽器用演奏補助具をネックに沿って移動させた状況について説明する図である。
【図５】本発明に従う弦楽器用演奏補助具の第二実施形態につき、これを弦楽器（ギター）に装着して示した図である。
【図６】（ａ）は図５に示すＢ−Ｂに沿う断面での模式図であって、（ｂ）は（ａ）の変形例を示す模式図である。
【図７】図５の実施形態における押弦部材につき、（ａ）はこれを平面視で模式的に示した図であって、（ｂ）は（ａ）に示すＣ−Ｃに沿う断面での模式図である。
【図８】押弦部材を駆動させるための配線について説明する図である。
【発明を実施するための形態】
【００１７】
以下、図１〜４を参照しながら、本発明に従う弦楽器用演奏補助具（以下、「演奏補助具」と称する）の第一実施形態について説明する。本実施形態の演奏補助具１は、図１に示すようにギターＧ１に装着されるように構成されている。ここでギターＧ１は、ボディＧ２と、一端側がボディＧ２に連結するネックＧ３と、ネックＧ３の他端側に設けられたヘッドＧ４と、ネックＧ３の表側に設けられた指板Ｇ５と、指板Ｇ５の幅方向に沿って延在する複数のフレットＧ６と、指板Ｇ５の表側においてボディＧ２とヘッドＧ４との間に張設された合計６本の弦Ｇ７とで構成されている。
【００１８】
また演奏補助具１は、図２に示すように、ネックＧ３側に位置するネック側部材２と、指板Ｇ５側に位置する指板側部材３と、指板側部材３において弦Ｇ７のそれぞれに対向するように設けられた合計６つの押弦部材４とを備えている。
【００１９】
ネック側部材２は、ネックＧ３に対してその長手方向に沿って移動できるものであり、ネックＧ３と接する面は、例えば摺動性の高い塗料やメッキを施したり摺動性の良い樹脂で形成したりすることによって、ネックＧ３に対してスムーズに移動できるようにしている。また本実施形態のネック側部材２は、ネックＧ３の幅方向に並ぶ第一ネック側セグメント２ａ、第二ネック側セグメント２ｂ、及び第三ネック側セグメント２ｃによって構成されている。ここで第一ネック側セグメント２ａ、第二ネック側セグメント２ｂ、第三ネック側セグメント２ｃは、ネックＧ３の幅方向に対して相互に離反できるように設けられている。本実施形態においては、第二ネック側セグメント２ｂの両側にピン５を設けるとともに、第一ネック側セグメント２ａと第三ネック側セグメント２ｃには、ピン５が摺動可能な穴６が設けられていて、これら３つのセグメントが平行に移動できるように構成している。また、第一ネック側セグメント２ａと第二ネック側セグメント２ｂとの相互間、及び第二ネック側セグメント２ｂと第三ネック側セグメント２ｃとの相互間には、スプリング等の弾性体７が設けられていて、第一ネック側セグメント２ａと第三ネック側セグメント２ｃは、第二ネック側セグメント２ｂに近づく向きに付勢されている。またネック側部材２は、ネックＧ３に対する移動位置を検知できる検知手段８を備えている。このような検知手段８としては、例えば図示したように、ネックＧ３に対して接触するローラを設けるとともに、このローラの回転量を検出できるように構成することや、ネックＧ３に所定のパターンを印字したテープを貼り付けておき、このパターンを光学的に読み取って移動位置を検知することなど、種々の手段を採用することができる。
【００２０】
指板側部材３は、ネック側部材２に取り付けられてネック側部材２とともに移動することが可能である。本実施形態においては、蝶ねじ９によってネック側部材２に装着できるように構成しているが、これに限られるものではない。なお、ネック側部材２と指板側部材３との間には、例えばスペーサ１０を使用するなどして、ネック側部材２と指板側部材３との距離が一定に保たれるようにしておく。また本実施形態の指板側部材３は、指板Ｇ５の幅方向に並ぶ第一指板側セグメント３ａ、第二指板側セグメント３ｂ、第三指板側セグメント３ｃによって構成されている。上述したネック側部材２と同様に、第二指板側セグメント３ｂの両側にはピン５が設けられ、第一指板側セグメント３ａと第三指板側セグメント３ｃには穴６が設けられていて、これら３つのセグメントは平行に移動することができる。また第一指板側セグメント３ａと第二指板側セグメント３ｂとの相互間、及び第二指板側セグメント３ｂと第三指板側セグメント３ｃとの相互間には、弾性体７が設けられていて、第一指板側セグメント３ａと第三指板側セグメント３ｃは、第二指板側セグメント３ｂに近づく向きに付勢されている。
【００２１】
押弦部材４は、例えばソレノイドやリニアモータ、空圧アクチュエータ等の駆動手段によってそれぞれが対応する弦Ｇ７に対して進退移動できるように構成されている。すなわち、押弦部材４を前進させることによって指板Ｇ５との間で弦Ｇ７が挟持され、弦Ｇ７は押弦部材４に対してボディＧ２側に位置するフレットＧ６に押し付けられるため、弦Ｇ７を振動させると、このフレットＧ６が振動の節になる波長の音が発せられる。また、押弦部材４を後退することによって、弦Ｇ７はフレットＧ６から離反するため、弦Ｇ７を開放状態（弦Ｇ７が押弦されていない状態）にすることができる。なお押弦部材４を進退移動させる機構は、図３（ａ）に示すように真っ直ぐ動くように構成してもよいし、図３（ｂ）に示すように、不図示の支点を中心として揺動するように構成してもよい
【００２２】
本実施形態の押弦部材４は、図４に示すように指板Ｇ５の幅方向に一列に並ぶようにして設けられた６組が、指板Ｇ５の長さ方向に所定の間隔をあけて４列設けられている。なお、押弦部材４の列数は任意に設定可能であるが、一般的なギターＧ１について本発明者が検討を重ねたところ、押弦部材４を４列設ける場合は、ボディＧ２よりも外側に位置するフレットＧ６に対しては、演奏補助具１をネックＧ３に沿ってその全域に亘って移動させた際にも、何れかの列の押弦部材４によって弦Ｇ７をこれらのフレットＧ６の全てに押し付けることが可能であった。この点を、図４を示しながら具体的に説明すると、押弦部材４の列をヘッドＧ４からボディＧ２に向かって１列目〜４列目と称する場合、演奏補助具１を位置ｘ１に移動させた状態においては、１列目、２列目（又は３列目）、４列目の３つの列の押弦部材４によって、演奏補助具１の長さ方向の全てに含まれるフレットＧ６に弦Ｇ７を押し付けることができる。また演奏補助具１を位置ｘ２に移動させた状態においては、１列目、３列目、４列目の３つの列の押弦部材４によって、この位置における全てのフレットＧ６に弦Ｇ７を押し付けることができる。そして位置ｘ３、ｘ４に演奏補助具１を移動させた状態でも、図示したように演奏補助具１に含まれる全てのフレットＧ６に対して弦Ｇ７を押し付けることが可能である。なお、図示例における演奏補助具１の移動位置は、位置ｘ１と位置ｘ２の関係のように、演奏補助具１のほぼ全長分を移動させたものとして示しているが、図示した以外の位置（例えば位置ｘ１と位置ｘ２の中間地点）に移動させた場合でも、演奏補助具１に含まれる全てのフレットＧ６に対して弦Ｇ７を押し付けることが可能である。従って押弦部材４は、図示したように４列設けることが好ましい。
【００２３】
ところでネックＧ３及び指板Ｇ５は、先端側（ヘッドＧ４側）から根元側（ボディＧ２側）に向かって幅が広くなっている。このため、ネック側部材２と指板側部材３の幅が一定のままであれば、演奏補助具１がネックＧ３の根元側に位置しているときはガタツキがなくても、これをネックＧ３の先端側に移動させるとガタツキが生じることになる。一方、本実施形態の演奏補助具１は、ネック側部材２と指板側部材３が第一ネック側セグメント２ａ等や第一指板側セグメント３ａ等によって幅方向に分割されていて、更にこれらのセグメントは弾性体７によって互いに近づく向きに付勢されているため、ネックＧ３の長手方向に沿って移動させると、図４に示すようにネックＧ３の幅に応じて各セグメントが幅方向に移動する。このため演奏補助具１を、ネックＧ３の先端側から根元側までガタツキ無く移動させることができる。また弦Ｇ７は、ネックＧ３の幅が根元側に向かって広がるのと同様に、先端側から根元側に向かって互いの間隔が広くなるように張設されている。ここで本実施形態の押弦部材４は、第一指板側セグメント３ａ、第二指板側セグメント３ｂ、第三指板側セグメント３ｃに対してそれぞれ２つずつ設けられている。すなわち、演奏補助具１をネックＧ３の先端側から根元側まで移動させた際、第一指板側セグメント３ａと第三指板側セグメント３ｃに設けられた押弦部材４も幅方向外側に向かって移動するため、対応する弦Ｇ７に対して押弦部材４を常時対向させることができる。従って、演奏補助具１をネックＧ３に沿って何れに位置に移動させても弦Ｇ７を押えることができる。なお、第二指板側セグメント３ｂに設けた２つの押弦部材４の幅は変わらないが、ネックＧ３の中央寄りに設けられた２本の弦Ｇ７の幅の変化量は、ネックＧ３の端寄りに設けられた弦Ｇ７よりも少ないため、第二指板側セグメント３ｂに設けられた押弦部材４も弦Ｇ７に対して常時対向させることができる。
【００２４】
また押弦部材４を進退移動させる駆動手段は、図１、図２に示した制御部１１からの指令に応じて動作できるように構成されている。本実施形態の制御部１１は、図１に示すようにコンピュータや各種の情報端末などの入力手段１２に接続（有線でも無線でもよい）されて、入力手段１２から入力される各種データ（演奏する曲の音楽テータや、弦Ｇ７を押えるコードデータなど）を受信することができる。なお制御部１１には、受信したデータを蓄積するためのメモリを設けておくことが好ましい。また制御部１１は、図２に示した検知手段８にも接続されていて、演奏補助具１の移動位置を検出することができる。そして制御部１１は、受信したデータと検出した演奏補助具１の移動位置に基づき、演奏する曲に応じて所定の弦Ｇ７が所定の位置で押されるように、押弦部材４の駆動手段に指令を出力する。なお、図示した制御部１１は指板側部材３に設けているが、これをネック側部材２に設けてネック側部材２と指板側部材３とを電気的に接続するように構成してもよい。また図示は省略するが、押弦部材４の駆動手段や制御部１１を動作させるための駆動源（電力源や空力源など）は、ネック側部材２や指板側部材３に内蔵してもよいし、外部に設置してもよい。
【００２５】
このように構成される演奏補助具１は、蝶ねじ９を外しておき、ネック側部材２をネックＧ３側に位置させるとともに指板側部材３を指板Ｇ５側に位置させた状態で再び蝶ねじ９を取り付けて、ネックＧ３にセットする。続いて、ネックＧ３に対する演奏補助具１の位置が検知手段８を使って制御部１１で検出できるように初期設定を行う。具体的には、例えば演奏補助具１の初期位置が最もヘッドＧ４側に移動させた状態であれば、演奏補助具１をヘッドＧ４側に移動させた状態で制御部１１の電源を入れるなどして、検知手段８での検知がこの位置から始まるように設定する。なお、演奏する曲のデータはこの時点で入力手段１２から制御部１１に入力してもよいし、予め制御部１１のメモリに蓄積しておいてもよい。そして、例えば左手で演奏補助具１を把持するとともに右手で弦Ｇ７を弾くことができるようにギターＧ１を保持して演奏を開始する。上述したように演奏補助具１は、受信したデータと検出した演奏補助具１の移動位置に応じて制御部１１から指令を出力し、その指令に基づいて押弦部材４を進退移動させて、演奏する曲に応じた弦Ｇ７を所定の位置及び所定のタイミングで押えることができる。従って、左手を使って演奏補助具１をネックＧ３に沿って移動させつつ、右手で弦Ｇ７を弾くことによって、ギターＧ１を演奏することができる。
【００２６】
次に、図５〜図８を参照しながら本発明に従う演奏補助具の第二実施形態について説明する。本実施形態の演奏補助具２１は、前述のギターＧ１に装着されるように構成されている。なお、図５に示すギターＧ１は、図１に示したものと同一であるため、図面に同一の符号を付して詳細な説明は省略する。
【００２７】
本実施形態の演奏補助具２１は、図６（ａ）に示すように、ネックＧ３側に位置するネック側部材２２と、指板Ｇ５側に位置する指板側部材２３と、指板側部材２３において弦Ｇ７に対向するように設けられた押弦部材２４とを備えている。
【００２８】
ネック側部材２２と指板側部材２３は、図５に示すように、ネックＧ３におけるボディＧ２よりも外側に位置する部分の略全域に亘る長さで設けられていて、図６（ａ）に示すように、蝶ねじ２５とスペーサ２６を使用してネックＧ３に取り付けられる。なお、ネック側部材２２と指板側部材２３は、ネックＧ３に対して不動に取り付けられる。図６（ａ）に示したネック側部材２２と指板側部材２３は、これらが分離するように構成されているが、図６（ｂ）のようにヒンジ２７を介してこれらを開閉可能に連結してもよい。
【００２９】
押弦部材２４は、図５に示すように、６本の弦Ｇ７の全てに跨がるように設けられる一括押弦部材２８と、それぞれの弦Ｇ７に対向するように設けられる合計６つの単独押弦部材２９とで構成されている。前述の押弦部材４のように一括押弦部材２８と単独押弦部材２９も、弦Ｇ７に対して進退移動できるように構成されている。また一括押弦部材２８と単独押弦部材２９は、後述する機構などによって、弦Ｇ７の延在する向きに沿って移動できるように構成されている。
【００３０】
ここで、単独押弦部材２９の１つについて図７を参照しながら説明する。本実施形態の単独押弦部材２９は、ブロック３０に設けた支点３１に対して揺動可能に取り付けられている。また単独押弦部材２９の一端側は、ブロック３０に設けたボイスコイルモータ３２に取り付けられていて、ボイスコイルモータ３２を駆動させることによって、単独押弦部材２９の他端側が弦Ｇ７に対して前進移動する。図示したように支点３１は、単独押弦部材２９の他端側寄りに設けられているため、ボイスコイルモータ３２の駆動力が小さくても、単独押弦部材２９の他端側は、梃の原理でもって大きな力で弦Ｇ７を押えることができる。なお、単独押弦部材２９の他端側には、これを弦Ｇ７から離反させる側に付勢する弾性体３３が設けられていて、ボイスコイルモータ３２を駆動させていないときは、単独押弦部材２９の他端側は弦Ｇ７に対して離反している。
【００３１】
ブロック３０は、弦Ｇ７に沿って延在するループ状の移動用ワイヤ３４に連結している。移動用ワイヤ３４は、ブロック３０に設けた穴３５を挿通していて、２つの滑車３６で折り返されて、その一端部と他端部はブロック３０につながっている。なお滑車３６は、不図示のモータによって回転するように構成されている。そして滑車３６を回転させると、ブロック３０及びブロック３０に取り付けられた単独押弦部材２９は、弦Ｇ７に沿って移動する。
【００３２】
ここで、ボイスコイルモータ３２の一端部と他端部は、弦Ｇ７に沿って延在する給電用ワイヤ３７に接触していて、給電用ワイヤ３７から送給される電力で駆動するよう構成されている。なお、移動用ワイヤ３４によってブロック３０が移動する際も、ボイスコイルモータ３２の一端部と他端部は、給電用ワイヤ３７に接触している。このため、弦Ｇ７に対して任意の位置で単独押弦部材２９を駆動させることができる。
【００３３】
なお、給電用ワイヤ３７に電力を供給する電源は、ボイスコイルモータ３２に対してそれぞれ準備してもよいが、図８に示すように配線すれば、１つで済ませることができる。図８は、６本の弦Ｇ７のうちの３本と、これらの弦Ｇ７に対応する３つの単独押弦部材２９、及び単独押弦部材２９のそれぞれを駆動する３つのボイスコイルモータ３２について示している。図示した電源３８のプラス側には、各ボイスコイルモータ３２をＯＮ／ＯＦＦするためのスイッチ３９が電気的に接続されている。また各ボイスコイルモータ３２には、プラス側の給電用ワイヤ３７ａが接続されていて、ボイスコイルモータ３２の一端側はプラス側の給電用ワイヤ３７ａに接触している。またボイスコイルモータ３２の他端側は、電源３８のマイナス側に電気的に接続されたマイナス側の給電ワイヤ３７ｂに接続されている。このように配線することにより、駆動させるべきボイスコイルモータ３２に対応するスイッチ３９をＯＮ状態にすれば、そのボイスコイルモータ３２に電源３８から電力が供給されて単独押弦部材２９を昇降移動させることができる。また弦Ｇ７に沿ってブロック３０を移動させても、ボイスコイルモータ３２に対してその位置で電力が供給されるため、弦Ｇ７に沿う何れの位置でも単独押弦部材２９を昇降移動させることができる。
【００３４】
また、図５、図６に示すように演奏補助具２１は、前述の制御部１１と同様に、入力手段１２に接続されて各種データを受信することができる制御部４０を備えている。制御部４０は、前述の滑車３６を駆動させる不図示のモータに対して滑車３６を回転させる指令を出力して、単独押弦部材２９を弦Ｇ７に沿ってそれぞれ移動させることができ、また図８に示したスイッチ３９に指令を出力して、単独押弦部材２９を弦Ｇ７に対してそれぞれ進退移動させることができる。なお制御部４０は、一括押弦部材２８についても弦Ｇ７に沿って移動させ、また弦Ｇ７に対して進退移動させることができる。
【００３５】
このように構成される演奏補助具２１も、前述の演奏補助具１と同様に、蝶ねじ２５を使用して、ネック側部材２２と指板側部材２３をネックＧ３に取り付ける。そして、例えば左手で演奏補助具２１を支えつつ、右手で弦Ｇ７を弾くことができるようにギターＧ１を保持して演奏を開始する。本実施形態の演奏補助具２１は、制御部１１から一括押弦部材２８と６つの単独押弦部材２９に対して受信したデータに応じた指令が出力され、その指令に基づいて一括押弦部材２８と単独押弦部材２９は弦Ｇ７に沿って移動し、また弦Ｇ７に対して進退移動するため、演奏する曲に応じた位置及びタイミングで弦Ｇ７を押すことができる。従って、左腕を動かすことが難しくても演奏補助具２１で押弦できるため、ギターＧ１を演奏することができる。
【００３６】
本実施形態の演奏補助具２１は、一括押弦部材２８と単独押弦部材２９を備えているため、弦を多様に押えることが可能となり、演奏可能な曲の種類を増やすことができる。また一括押弦部材２８で弦を押えておくことによって、単独押弦部材２９を弦Ｇ７に沿って移動させる際の移動量が減って、単独押弦部材２９を所定の位置まで素早く移動させることができるため、速い曲でも演奏を行うことができる。
【００３７】
以上、本発明に従う弦楽器用演奏補助具について具体的な実施形態を示して説明したが、本発明の弦楽器用演奏補助具は、前述の実施形態に限られるものではない。例えば前述の実施形態ではギターについて取り付けるものであったが、ベースやバイオリンなど、他の弦楽器に適用することも可能である。また、押弦部材の構成も種々変更が可能である。例えば前述の単独押弦部材２９を弦Ｇ７に沿って移動させる機構は、ブロック３０に連結する移動用ワイヤ３４によるものであったが、移動用ワイヤ３４に替えてベルトを使用してもよいし、リニアモータを使用してもよい。
【符号の説明】
【００３８】
１：演奏補助具
２：ネック側部材
２ａ：第一ネック側セグメント
２ｂ：第二ネック側セグメント
２ｃ：第三ネック側セグメント
３：指板側部材
３ａ：第一指板側セグメント
３ｂ：第二指板側セグメント
３ｃ：第三指板側セグメント
４：押弦部材
７：弾性体
８：検知手段
１１：制御部
１２：入力手段
２１：演奏補助具
２２：ネック側部材
２３：指板側部材
２４：押弦部材
２８：一括押弦部材
２９：単独押弦部材
４０：制御部
Ｇ１：ギター
Ｇ２：ボディ
Ｇ３：ネック
Ｇ４：ヘッド
Ｇ５：指板
Ｇ６：フレット
Ｇ７：弦
【図１】
2020030394.tif 000003
【図２】
2020030394.tif 000004
【図３】
2020030394.tif 000005
【図４】
2020030394.tif 000006
【図５】
2020030394.tif 000007
【図６】
2020030394.tif 000008
【図７】
2020030394.tif 000009
【図８】
2020030394.tif 000010
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
弦楽器のネック側に位置するとともに該ネックに沿って移動可能なネック側部材と、
弦楽器の指板側に位置するとともに前記ネック側部材に取り付けられて該ネック側部材とともに移動する指板側部材と、
前記指板側部材に設けられ、前記指板の表側に張設された複数の弦に対してそれぞれ進退移動可能な複数の押弦部材と、
前記ネック側部材の移動位置を検出可能であって、検出した該ネック側部材の移動位置及び所定のタイミングに応じて前記押弦部材を前記弦に対して進退移動させる制御部と、を備える弦楽器用演奏補助具。
【請求項２】
前記ネック側部材は、前記ネックの幅方向に並ぶ複数のネック側セグメントで構成され、前記指板側部材は、前記指板の幅方向に並ぶ複数の指板側セグメントで構成されるものであって、
前記ネック側セグメント同士を互いに近づく向きに付勢する、及び／又は前記指板側セグメント同士を互いに近づく向きに付勢する弾性体を備える請求項１に記載の弦楽器用演奏補助具。
【請求項３】
弦楽器のネック側に位置するネック側部材と、
弦楽器の指板側に位置するとともに前記ネック側部材に取り付けられる指板側部材と、
前記指板側部材に設けられ、前記指板の表側に張設された複数の弦に対してそれぞれ進退移動可能且つ該弦の延在する向きに沿って移動可能な複数の押弦部材と、
所定のタイミングに応じて前記押弦部材を該弦に対して進退移動させるとともに前記弦の延在する向きに沿って該押弦部材を移動させる制御部と、を備え、
前記押弦部材は、複数の弦の全てに跨がるとともにこれらの弦に対して進退移動する一括押弦部材と、それぞれの弦に対向するとともに各弦に対して進退移動する複数の単独押弦部材とを備える弦楽器用演奏補助具。
【手続補正２】
【補正対象書類名】明細書
【補正対象項目名】００１０
【補正方法】変更
【補正の内容】
【００１０】
また本発明の弦楽器用演奏補助具は、弦楽器のネック側に位置するネック側部材と、弦楽器の指板側に位置するとともに前記ネック側部材に取り付けられる指板側部材と、前記指板側部材に設けられ、前記指板の表側に張設された複数の弦に対してそれぞれ進退移動可能且つ該弦の延在する向きに沿って移動可能な複数の押弦部材と、所定のタイミングに応じて前記押弦部材を該弦に対して進退移動させるとともに前記弦の延在する向きに沿って該押弦部材を移動させる制御部と、を備え、前記押弦部材は、複数の弦の全てに跨がるとともにこれらの弦に対して進退移動する一括押弦部材と、それぞれの弦に対向するとともに各弦に対して進退移動する複数の単独押弦部材とを備えるものでもある。
【手続補正３】
【補正対象書類名】明細書
【補正対象項目名】００１１
【補正方法】削除
【補正の内容】